(57)【要約】【課題】ブラインドの構造および制御を複雑化することなく、スラットの傾き角度を変化させても、十分な採光性を確保可能なブラインドを提供する。【解決手段】ブラインド１０は、第１方向に配列され、それぞれが可視光遮光性を有する複数のスラット２０を備え、複数のスラットのうち少なくとも一部のスラットは、該スラットの表面が平坦な鏡面からなる基準平面であると仮定した場合の該基準平面に入射された光の正反射の方向とは異なる方向に反射させる反射特性を有する。【選択図】図１
2015007336.tif 000002
【特許請求の範囲】
【請求項１】
第１方向に配列され、それぞれが可視光遮光性を有する複数のスラットを備え、
前記複数のスラットのうち少なくとも一部のスラットは、該スラットの表面が平坦な鏡面からなる基準平面であると仮定した場合の該基準平面に入射された光の正反射の方向とは異なる方向に反射させる反射特性を有するブラインド。
【請求項２】
前記少なくとも一部のスラットの表面は、前記基準平面に入射された光の正反射の方向とは異なる方向に反射させるように、粗面化されている請求項１に記載のブラインド。
【請求項３】
前記少なくとも一部のスラットの表面には、該スラットの短手方向に沿って配列される複数の凸部が設けられ、
前記複数の凸部のそれぞれは、前記基準平面から傾斜した第１側面および第２側面を有し、
前記第１側面は、入射された光を正反射させる請求項２に記載のブラインド。
【請求項４】
前記少なくとも一部のスラットの表面は、前記基準平面に入射された光の正反射の方向とは異なる方向に指向性反射させる請求項１に記載のブラインド。
【請求項５】
前記少なくとも一部のスラットは、
可視光遮光性の基材と、
前記基材の表面に接合され指向性反射特性を有するシート部材と、を有する請求項４に記載のブラインド。
【請求項６】
前記複数のスラットは、それぞれが１以上のスラットからなり前記第１方向に沿って配置される複数のスラット群を有し、
前記複数のスラット群のそれぞれは、反射特性が相違する請求項１乃至５のいずれかに記載のブラインド。
【請求項７】
前記第１方向は上下方向であり、
前記複数のスラット群のうち、下側に配置されるスラット群は、その上側に配置されるスラット群よりも、前記第１方向に対する出射角度が小さい請求項６に記載のブラインド。
【発明の詳細な説明】
【技術分野】
【０００１】
本発明は、上下方向に配列された複数のスラットを有するブラインドに関する。
【背景技術】
【０００２】
特許文献１に開示されているように、採光用の窓に取り付けられるブラインドが広く利用に供されている。ブラインドは、典型的に、鉛直方向に間隔をあけて配列された多数のスラットを有している。各スラットは、水平方向に延び、その傾きを変化させることができるように支持されている。このようなブラインドは、スラットの傾きを調整することにより、室外から室内を観察されることを規制する目隠し機能、斜め上方からの外光が室内にそのまま入射することを防止して防眩を図る遮光機能、斜め上方からの外光を室内にそのまま取り入れる採光機能等を発現することができる。
【０００３】
また、特許文献２には、スラットの上面の半分に鏡面をつけて、この鏡面で反射された外光を室内に導入する技術が開示されている。
【０００４】
さらに、特許文献３には、スラットで反射した太陽光が、上部のスラットほど室内奥の天井方向に向かい、下部のスラットほど窓際の天井方向に向かうように、スラットの傾斜角度を上部のスラットから下部のスラットにかけて順次変化させる技術が開示されている。
【先行技術文献】
【特許文献】
【０００５】
【特許文献１】特開２００６−２２２０１１号公報
【特許文献２】特開平７−２２９３７５号公報
【特許文献３】特開平１１−３１５６７３号公報
【発明の概要】
【発明が解決しようとする課題】
【０００６】
特許文献２のように、スラットの上面に鏡面を設けると、スラットの上面に入射された光を反射させることができるが、鏡面は正反射を行うため、入射光の入射角度によって、出射角度が変化し、反射光を所望の方向に向かわせるように制御することは難しい。
【０００７】
また、特許文献３のように、スラットの傾斜角度をスラットごとに順次変化させるには、事前に、どの位置のスラットはどの傾斜角度に設定すべきかをスラットごとに調べなければならず、また、各スラットの傾斜角度を設定するための自動化システムも必要となり、コストがかかってしまう。
【０００８】
本発明は、上述した問題点を考慮してなされたものであり、ブラインドの構造および制御を複雑化することなく、スラットの傾き角度を変化させても、十分な採光性を確保可能なブラインドを提供するものである。
【課題を解決するための手段】
【０００９】
上記の課題を解決するために、本発明の一態様に係るブラインドは、
第１方向に配列され、それぞれが可視光遮光性を有する複数のスラットを備え、
前記複数のスラットのうち少なくとも一部のスラットは、該スラットの表面が平坦な鏡面からなる基準平面であると仮定した場合の該基準平面に入射された光の正反射の方向とは異なる方向に反射させる反射特性を有する。
【００１０】
前記少なくとも一部のスラットの表面は、前記基準平面に入射された光の正反射の方向とは異なる方向に正反射させるように、粗面化されていてもよい。
【００１１】
前記少なくとも一部のスラットの表面には、該スラットの短手方向に沿って配列される複数の凸部が設けられ、
前記複数の凸部のそれぞれは、前記基準平面から傾斜した第１側面および第２側面を有し、
前記第１側面は、入射された光を反射させてもよい。
【００１２】
前記少なくとも一部のスラットの表面は、前記基準平面に入射された光の正反射の方向とは異なる方向に指向性反射させてもよい。
【００１３】
前記少なくとも一部のスラットは、
可視光遮光性の基材と、
前記基材の表面に接合され指向性反射特性を有するシート部材と、を有してもよい。
【００１４】
前記複数のスラットは、それぞれが１以上のスラットからなり前記第１方向に沿って配置される複数のスラット群を有し、
前記複数のスラット群のそれぞれは、反射特性が相違してもよい。
【００１５】
前記第１方向は上下方向であり、
前記複数のスラット群のうち、下側に配置されるスラット群は、その上側に配置されるスラット群よりも、前記第１方向に対する出射角度が小さくてもよい。
【発明の効果】
【００１６】
本発明によれば、ブラインドの構造および制御を複雑化することなく、スラットの傾き角度を変化させても、十分な採光性を確保可能なブラインドを提供できる。
【図面の簡単な説明】
【００１７】
【図１】本発明の第１の実施形態に係るブラインド１０の斜視図。
【図２】ブラインド１０のスラット２０の動作を説明するための図。
【図３】ブラインド１０のスラット２０の動作を説明するための図。
【図４】スラット２０の表面形状の一例を示す主断面図。
【図５】スラット２０の表面形状の他の例を示す主断面図。
【図６】プリズムシート３３の断面構造の一例を示す図。
【図７】スラット２０の傾き角度を３通りに変化させたときのスラット２０での反射光の方向を示す図。
【図８】第２の実施形態に係るブラインド１０の反射特性を模式的に示す図。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１９】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００２０】
（第１の実施形態）
図１は本発明の第１の実施形態に係るブラインド１０の斜視図であり、図２及び図３はブラインド１０のスラット２０の動作を説明するための図である。
【００２１】
図１に示すように、ブラインド１０は、第１方向（例えば、上下方向）に配列された複数のスラット２０と、スラット２０を支持及び操作するための手段と、を有している。図２及び図３に示すように、ブラインド１０は、窓１等の採光具に対面する位置に配置される。スラット２０は、羽根板とも呼ばれ、上下方向と非平行な方向に細長く延びる薄板状の部材として形成されている。スラット２０は、その傾きが可変となるように支持されている。スラット２０の傾きを調整することによって、窓１に対面する位置に配置されたブラインド１０は、後述するように種々の機能を発揮することができる。
【００２２】
本実施形態において、ブラインド１０に含まれるスラット２０は、第１方向すなわち上下方向に並べられるとともに、各スラット２０は水平方向に延びている。このブラインド１０は、壁２、天井３及び床４によって区画された室内に配置され、壁２に形成された採光用の窓１に対面するよう、壁２に取り付けられている。ブラインド１０は、壁２への取付具となる取付ボックス１２と、取付ボックス１２から垂下し且つ鉛直方向に間隔をあけて多数のスラット２０を支持するラダーコード１６と、スラット２０を引き上げるための昇降コード１８と、ラダーコード１６及び昇降コード１８に連結された操作グリップ１４と、を有する。
【００２３】
本実施形態において、ラダーコード１６は、ブラインド１０に含まれるすべてのスラット２０を概ね平行となるよう、スラット２０の傾きを制御する。そして、操作グリップ１４を介してラダーコード１６を操作することにより、スラット２０の傾きを調整することができる。また、一方、操作グリップ１４を介して昇降コード１８を操作することにより、下方側のスラット２０から順に鉛直方向における間隔を狭めるようにして、多数のスラット２０を引き上げることができる。この際、多数のスラット２０の少なくとも一部が取付ボックス１２内に収容され、且つ、窓１が室内に露出する。同様に、操作グリップ１４を介して昇降コード１８を操作することにより、上方に集められたスラット２０を、窓１に対面する位置に下げることができる。本実施形態におけるブラインド１０において、取付ボックス１２、操作グリップ１４、ラダーコード１６，昇降コード１８、並びに、操作グリップ１４を介してラダーコード１６及び昇降コード１８を操作する機構は、既知の種々の構成を採用することができる。
【００２４】
次に、スラット２０についてさらに詳述する。本実施形態において、各スラット２０は、図２及び図３に示すように、若干湾曲した薄板状に形成されている。多数のスラット２０は、その外輪郭が同一である。本実施形態では、ブラインド１０に含まれる少なくとも一部のスラット２０が、スラット２０の傾き角度を変化させても、スラット２０の表面に入射された光を、該光の入射位置よりも上方側に反射させる反射特性を有する。
【００２５】
以下では、説明の簡略化のために、ブラインド１０に含まれるすべてのスラット２０が上述した反射特性を有する例について説明するが、一部のスラット２０のみが上述した反射特性を有し、その他のスラット２０は、従来のスラット２０と同様の遮光、遮熱および目隠し機能を持っていてもよい。
【００２６】
上述した反射特性を有するスラット２０の基材としては、既知のスラット２０と同様に、例えば、耐食アルミニウム合金からなる薄板材や樹脂からなる薄板材等を用いることができる。スラット２０は、不透明すなわち可視光遮光性を有し、かつ可視光を反射する機能を有する。この可視光を反射する機能は、後述するように、スラット２０の表面に入射された光を、該光の入射位置よりも上方側に反射させる機能である。このような可視光反射機能をスラット２０に持たせるには、スラット２０の基材に、金属薄片などのミラー材を含有させてもよい。あるいは、スラット２０の表面に形成された凸部の第１側面および第２側面を研磨して、これら側面で正反射を起こさせるようにしてもよい。ここで、可視光とは、波長範囲が３８０ｎｍから７８０ｎｍの光である。
【００２７】
また、スラット２０の表面に、ブラインド１０に対して遮熱、防汚、抗菌、消臭機能を付与するための機能層が形成されていてもよい。一例として、スラット２０の表面をフッ素や酸化チタンでコーティングしてもよい。
【００２８】
本実施形態に係るスラット２０は、スラット２０の表面が平坦な鏡面であると仮定した場合の基準平面に入射された光の正反射の方向とは異なる方向に反射させる反射特性を有する。このような反射特性を有することで、スラット２０の表面で反射された光を、斜め上方に跳ね上げることを可能としている。
【００２９】
図４はスラット２０の傾き角度を３通りに変化させたときのスラット２０での反射光の方向を示す図である。図４（ａ）はスラット２０を直立に近い角度まで傾けた例、図４（ｃ）はスラット２０を水平に近い角度まで寝かせた例、図４（ｂ）は図４（ａ）と図４（ｃ）の中間の角度まで傾けた例を示している。
【００３０】
これらの図において、破線矢印は、スラット２０の上述した基準平面に対する入射光の正反射の方向である。図示のように、本実施形態のスラット２０は、図４（ａ）と図４（ｂ）の傾き角度の場合、入射光を破線矢印の方向よりも高い方向に反射し、図４（ｃ）の傾き角度の場合、入射光を破線矢印の方向よりも低い方向に反射する。図４（ａ）〜図４（ｃ）のいずれの場合も、スラット２０からの反射光は、斜め上方に進行し、室内の天井方向を照明することができる。
【００３１】
一方、図４（ｄ）〜図４（ｆ）は、図４（ａ）〜図４（ｃ）よりも入射光の入射角度が小さい例を示す図である。入射光の入射角度が低い場合は、図４（ｄ）のようにスラット２０を直立に近い角度まで傾けると、入射光はスラット２０の間隔をすり抜けてしまう。一方、スラット２０を寝かせると、図４（ｅ）と図４（ｆ）に示すように、斜め上方に反射させることができる。したがって、入射光の入射角度が低い場合には、採光性能が得られるスラット２０の傾き角度が制限される。
【００３２】
本実施形態に係るスラット２０は、図４のようにスラット２０の基準平面に入射された光の正反射の方向とは異なる方向に反射特性を持たせるために、その表面が粗面化されている。
【００３３】
図５はスラット２０の表面形状の一例を示す主断面図であり、スラット２０の短手方向における断面構造を示している。図示のように、スラット２０の表面、より正確には外光が入射される側の表面は平坦ではなく、その表面には多数の凹凸が形成されており、これにより表面が粗面化されている。図５では、スラット２０の表面における短手方向に沿って多数の凹凸を形成する例を示している。スラット２０の表面における長手方向（図５の紙面の表裏方向）については、断面が凹凸の形状がそのまま延在されている。
【００３４】
スラット２０の表面の凹凸は、より詳しくは、図５に破線で示すスラット２０の平坦面３２上に設けられた多数の凸部３１により形成されている。個々の凸部３１は、平坦面３２に対して傾斜した第１側面３１ａおよび第２側面３１ｂを有し、これら第１側面３１ａおよび第２側面３１ｂは、それぞれの一端部で接続されて頂角を形成し、それぞれの他端部は平坦面３２に接続されている。
【００３５】
スラット２０に入射される光は、図５に矢印で示すように、個々の凸部３１の第１側面３１ａに入射されて正反射される。第１側面３１ａは、スラット２０の平坦面３２に対して傾斜しているため、第１側面３１ａに入射した光は斜め上方に反射される。
【００３６】
図５では、同じ形状の凸部３１をスラット２０の短手方向に沿って複数個配列しているため、外光の入射角度がほぼ同じであれば、第１側面３１ａで反射された光の出射角度もほぼ同じになり、室内の広い範囲に外光を導入することはできない。
【００３７】
そこで、図６に示すように、スラット２０の短手方向に沿って配列される複数の凸部３１の第１側面３１ａの傾斜角度を、それぞれ相違させてもよい。各凸部３１の第１側面３１ａに入射された光は正反射するため、第１側面３１ａの傾斜角度を相違させることで、出射角度も種々に変化し、結果として、室内の幅広い範囲に外光を導入でき、室内全体を明るく照明できる。
【００３８】
図５のような表面に凸部３１を有するスラット２０を形成するには、凸部３１の形状に合わせて加工された金型を用意し、この金型に基材の材料（例えば、熱硬化性樹脂など）を流し込んで型取りすればよい。
【００３９】
なお、スラット２０の表面を粗面化する手法は、上述したように、スラット２０の基材の表面を加工する以外に、スラット２０の表面に、指向性反射を行うプリズムシートを積層してもよい。
【００４０】
図７はプリズムシート３３の断面構造の一例を示す図である。図７のプリズムシート３３は、スラット２０の表面３２に不図示の接着層を介して接合される第１の光反射基材３４と、この第１の光反射基材３４に積層される第２の光反射基材３５とを有する。
【００４１】
第１の光反射基材３４は、正反射または散乱反射を行う基材である。なお、スラット２０の表面が正反射または散乱反射を行うものであれば、第１の光反射基材３４は省略可能である。
第２の光反射基材３５は、スラット２０に入射される外光を、その入射位置よりも上方に指向性反射する。
【００４２】
第２の光反射基材３５は、スラット２０の表面に沿って配置される複数の単位プリズム３６を有する。これら単位プリズム３６は、スラット２０の表面における短手方向に沿って配置されており、各単位プリズム３６は、スラット２０の表面における長手方向（図７の紙面の表裏方向）に延在されている。
【００４３】
図７のプリズムシート３３は、光源２からの光を再帰反射させる際に反射角度範囲を制限できることを特徴とし、これにより指向性反射を実現している。
【００４４】
プリズムシート３３内の複数の単位プリズム３６の頂角付近は平坦面になっており、その主断面形状は台形である。台形の上底は第１の光反射基材３４に接している。各単位プリズム３６は、その台形の上底に連なる第１傾斜面３６ａと第２傾斜面３６ｂを有する。複数の単位プリズム３６における第１傾斜面３６ａの形状は共通であり、同様に複数の単位プリズム３６における第２傾斜面３６ｂの形状も共通である。したがって、複数の単位プリズム３６用の複数の第１傾斜面３６ａは平行に配置され、複数の第２傾斜面３６ｂも平行に配置されている。また、これら第１傾斜面３６ａと第２傾斜面３６ｂは、シート面の第１方向Ｘに沿って交互に配置されている。
【００４５】
図７の例では、第１傾斜面３６ａと第２傾斜面３６ｂのそれぞれは、平坦面ではなく、１箇所以上で折れ曲がった折れ面である。したがって、第１傾斜面３６ａと第２傾斜面３６ｂのそれぞれは、第２の光反射基材３５の主断面において、シート面に対する傾斜角度θａ1，θa2またはθｂ1，θb2が２箇所以上で異なっている。
【００４６】
より具体的には、図７の例では、第１傾斜面３６ａと第２傾斜面３６ｂの傾斜角度をそれぞれ２通りに変化させている。台形の下底に連なる側の第１傾斜面３６ａの傾斜角度θa1を、台形の上底に連なる側の第１傾斜面３６ａの傾斜角度θa2よりも大きくしている。同様に、台形の下底に連なる側の第２傾斜面３６ｂの傾斜角度θb1を、台形の上底に連なる側の第２傾斜面３６ｂの傾斜角度θb2よりも大きくしている。
【００４７】
第１傾斜面３６ａと第２傾斜面３６ｂのそれぞれの傾斜角度を２箇所以上で相違させることで、第１傾斜面３６ａのどこに光が入射されても、第１傾斜面３６ａでの反射光が第２傾斜面３６ｂに向かうようになり、光の利用効率が向上する。また、第１傾斜面３６ａと第２傾斜面３６ｂのそれぞれの傾斜角度を２箇所以上で相違させることで、スラット２０への光の入射角度および入射位置が異なっても、スラット２０からの反射方向のばらつきを制限でき、指向性反射が可能となる。
【００４８】
また、図７の例では、第１傾斜面３６ａにおける傾斜角度と第２傾斜面３６ｂにおける傾斜角度とを相違させている。より具体的には、第１傾斜面３６ａ内のすべての位置における傾斜角度を、第２傾斜面３６ｂ内のすべての位置における傾斜角度よりも小さくしている。これにより、第１傾斜面３６ａに入射された光は、第２傾斜面３６ｂの方向に進みやすくなって光の利用効率が向上し、かつ第１傾斜面３６ａで反射されて第２傾斜面３６ｂに入射された光は、スラット２０の平坦面３２の法線方向に近い方向に進みやすくなって指向性反射が可能となる。
【００４９】
さらに、スラット２０における隣り合う二つの単位プリズム３６と第１の光反射基材３４との間には、空隙が設けられている。これにより、単位プリズム３６部分の屈折率と空隙の屈折率との比率が大きくなり、単位プリズム３６の第１傾斜面３６ａおよび第２傾斜面３６ｂに到達した光は、反射されやすくなる。
【００５０】
なお、単位プリズム３６の第１傾斜面３６ａと第２傾斜面３６ｂの傾斜角度を各傾斜面の途中で変える代わりに、あるいは変えることに加えて、第１傾斜面３６ａと第２傾斜面３６ｂの少なくとも一方の形状を各傾斜面の途中で変えてもよい。また、単位プリズム３６の第１傾斜面３６ａと第２傾斜面３６ｂの形状と傾斜角度の少なくとも一方を、単位プリズム３６ごと、あるいは複数の単位プラズム１１ごとに、相違させてもよい。
【００５１】
第２の光反射基材３５は、元となる基材上に、金型を用いて単位プリズム３６を賦型することにより作製することができる。基材としては、アクリル、スチレン、ポリカーボネート、ポリエチレンテレフタレート、アクリロニトリル等の一以上を主成分とする透明樹脂からなるフィルムを用いることができる。基材上に賦型される材料としては、エポキシアクリレートやウレタンアクリレート系の反応性樹脂（電離放射線硬化型樹脂等）を使用可能である。
【００５２】
第１の光反射基材３４は、上述したように、拡散反射または鏡面（正）反射の反射特性を有するが、仮に反射特性が拡散反射である場合には、拡散特性は、等方拡散でもよいし指向性拡散でもよい。したがって、第１の光反射基材３４として、種々の反射シートを用いることができる。
【００５３】
図７には、第２の光反射基材３５への入射角度が異なる３種類の光の行路を矢印線で示している。これらの光Ｌ２１〜Ｌ２３は、第２の光反射基材３５の一方側の面に到達して屈折されて、単位プリズム３６の方向に進行する。単位プリズム３６の上底面に到達した光Ｌ２１は、この上底面に接する第１の光反射基材３４で拡散反射され、第２の光反射基材３５を通過する際にも、さらに拡散されて、スラット２０の表面から室内方向に出射される。
【００５４】
上述したように、単位プリズム３６の第１傾斜面３６ａの入射角度を、第２傾斜面３６ｂの入射角度よりも大きくしている。よって、第１傾斜面３６ａに入射された光Ｌ２２は、第１傾斜面３６ａで全反射して、第２傾斜面３６ｂに向かう。第１傾斜面３６ａの傾斜角度よりも第２傾斜面３６ｂの傾斜角度の方が大きいため、第２傾斜面３６ｂに入射された光は、第２傾斜面３６ｂで全反射されて、スラット２０の平坦面３２の法線方向に近い方向に進み、室内の所定方向に進行する。
【００５５】
また、光源２から第２傾斜面３６ｂに入射される光Ｌ２３の入射方向は、第２傾斜面３６ｂの法線方向に近接している。このため、光Ｌ２３は、第２傾斜面３６ｂで全反射することなく、高い透過率で第２傾斜面３６ｂを透過する。この結果、第２傾斜面３６ｂに入射する光Ｌ２３は、第１の光反射基材３４で拡散反射し、第１の光反射基材３４の拡散能の程度に応じた角度域に拡散されて、第２の光反射基材３５が設置された室内に向けて進み出る。
【００５６】
このようにして、光源２から第２の光反射基材３５に入射される光Ｌ２１〜Ｌ２３は、第１の光反射基材３４での反射、あるいは第１傾斜面３６ａおよび第２傾斜面３６ｂでの反射、あるいは第２傾斜面３６ｂでの反射を経て、第２の光反射基材３５から出射して、室内を照明するようになる。
【００５７】
図７では、第２の光反射基材３５における単位プリズム３６の主断面形状が台形の例を示したが、主断面形状は三角形でもよい。単位プリズム３６の主断面形状が三角形の場合も、三角形の第１傾斜面３６ａと第２傾斜面３６ｂを図６のように折れ面やカーブ形状にして、第１傾斜面３６ａで反射された光ができるだけ第２傾斜面３６ｂの方向に進むようにして光の利用効率を向上させ、かつ第２傾斜面３６ｂで反射された光がスラット２０の平坦面３２の法線方向に近接した方向に進むようにして指向性反射を行うようにするのが望ましい。
【００５８】
本実施形態に係るブラインド１０は、操作グリップを操作してスラット２０の傾き角度を任意に調整可能である。図２はスラット２０を水平に近づけて、スラット２０の間から外光が室内に入り込みやすくした例を示し、図３はスラット２０を直立させて、外光が室内に入り込まないようにした例を示す。
【００５９】
本実施形態に係るブラインド１０は、図２と図３の間の角度にスラット２０を傾けたときに、ある程度の防眩性を担保しつつ、採光性を高められることを特徴とする。
【００６０】
このように、第１の実施形態では、可視光遮光性を有する少なくとも一部のスラット２０が、スラット２０の基準平面に入射された光の正反射の方向とは異なる方向に反射させる反射特性を有するため、スラット２０を直立させる方向に操作させた場合でも、スラット２０の隙間に入射された光を斜め上方に反射させることができ、採光性能を高めることができる。特に、本実施形態では、スラット２０に入射された光を室内の広い範囲に反射させることができ、室内の広い範囲を明るく照明できる。また、スラット２０の傾き角度を変更しても、スラット２０の表面に入射された光を斜め上方に反射させることができ、ブラインド１０の防眩性を担保しつつ、室内の天井付近を明るく照明できる。
【００６１】
また、本実施形態に係るブラインド１０は、遮光、遮熱および目隠し機能を有する従来のスラット２０と同じ素材を利用して、スラット２０表面を粗面化するか、あるいはスラット２０表面にプリズムシート３３を積層することで実現できるため、従来のブラインド１０からの設計変更が容易であり、部材コストの増加も抑制できる。
【００６２】
（第２の実施形態）
以下に説明する第２の実施形態に係るブラインド１０は、上下方向における複数の領域のそれぞれごとに別個の反射特性を有するものである。
【００６３】
図８は第２の実施形態に係るブラインド１０の反射特性を模式的に示す図である。ブラインド１０の目的の一つは、外光を遮光して、室内にいる人間が眩しさを感じないようにすること、すなわち防眩である。第１の実施形態のように、スラット２０の表面に入射された光を上方に反射させるようにする場合、ブラインド１０の下部側のスラット２０と上部側のスラット２０が同じ方向に入射光を反射させるとすると、上部側のスラット２０からの反射光は室内の天井方向に進行するが、下部側のスラット２０からの反射光は場合によっては人間の眼の方向に進行し、防眩性が担保てきないおそれがある。
【００６４】
そこで、図８では、ブラインド１０の下部側のスラット２０からの反射光を、上部側のスラット２０からの反射光よりも急峻に跳ね上げるようにして、下部側のスラット２０からの反射光が人間の眼に入らずに、天井方向に進行するようにする。
【００６５】
図８のような反射特性をブラインド１０に持たせるには、例えば、ブラインド１０を上下方向に２つの領域３５，３６に区分けして、上部側の領域３５内のスラット２０の反射特性と、下部側の領域３６内のスラット２０の反射特性とを互いに相違させればよい。
【００６６】
より具体的には、２つの領域３５，３６内のスラット２０の表面を粗面化して凸部３１を形成する場合、凸部３１の第１側面３１ａの傾斜角度を２つの領域のそれぞれで相違させればよい。第１側面３１ａの傾斜角度が大きいほど、より急峻に反射光は跳ね上がるため、下部側の領域３６内の凸部３１の第１側面３１ａの傾斜角度をより大きくすればよい。
【００６７】
あるいは、２つの領域３５，３６内のスラット２０の表面にプリズムシート３３を積層する場合、プリズムシート３３内の単位プリズム３６の側面の傾斜角度や形状等を２つの領域３５，３６のそれぞれで相違させればよい。
【００６８】
また、図８では、ブラインド１０を２つの領域３５，３６に区分けして、各領域３５，３６に互いに相違する光学特性を持たせる例を説明したが、ブラインド１０を上下方向に３つ以上の領域に区分けして、各領域にそれぞれ異なる光学特性を持たせてもよい。また、３つ以上の領域のうち、一部の領域については、上述した採光機能を持たせずに、通常のスラット２０で構成してもよい。
【００６９】
このように、第２の実施形態では、ブラインド１０を上下方向に沿って複数の領域に区分けして、各領域ごとに異なる反射特性を持たせるため、室内にいる人間が眩しさを感じない方向に外光を反射させることができ、かつ室内の広範囲に外光を採り込むことができる。
【００７０】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００７１】
２  壁、３  天井、４  床、１０  ブラインド、１２  取付ボックス、１４  操作グリップ、１６  ラダーコード、１８  昇降コード、２０  スラット、３１  凸部、３１ａ  第１側面、３１ｂ  第２側面、３３  プリズムシート、３４  第１の光反射基材、３５  第２の光反射基材、３６ａ  第１傾斜面、３６ｂ  第２傾斜面
【図１】
2015007336.tif 000003
【図２】
2015007336.tif 000004
【図３】
2015007336.tif 000005
【図４】
2015007336.tif 000006
【図５】
2015007336.tif 000007
【図６】
2015007336.tif 000008
【図７】
2015007336.tif 000009
【図８】
2015007336.tif 000010